(57)【要約】【課題】諸収差が良好に補正される小型の撮像レンズを提供する。【解決手段】物体側から順に、正の第１レンズ群Ｇ１と、正の第２レンズ群Ｇ２と、負の第３レンズ群Ｇ３とを配置して撮像レンズを構成する。第１レンズ群Ｇ１は、正の第１レンズＬ１と、負の第２レンズＬ２と、正の第３レンズＬ３とから構成する。第２レンズ群Ｇ２は、正の第４レンズＬ４および正の第５レンズＬ５から構成し、第３レンズ群Ｇ３は、第６レンズＬ６および第７レンズＬ７から構成する。第１レンズＬ１〜第３レンズＬ３、第４レンズＬ４、および第５レンズＬ５のアッベ数をνｄ１、νｄ２、νｄ３、νｄ４、およびνｄ５としたとき、当該撮像レンズは次の各条件式を満足する。          ４０＜νｄ１＜７５、          ２０＜νｄ２＜３５、          ４０＜νｄ３＜７５、          ４０＜νｄ４＜７５、          ２０＜νｄ５＜３５。【選択図】図１
2015161871.tif 000002
【特許請求の範囲】
【請求項１】
物体側から像面側に向かって順に、正の屈折力を有する第１レンズ群と、正の屈折力を有する第２レンズ群と、負の屈折力を有する第３レンズ群とを配置して構成され、
前記第１レンズ群は、正の屈折力を有する第１レンズと、負の屈折力を有する第２レンズと、正の屈折力を有する第３レンズとから構成され、
前記第２レンズ群は、正の屈折力を有する第４レンズおよび正の屈折力を有する第５レンズから構成され、
前記第３レンズ群は、第６レンズおよび第７レンズから構成され、
前記第１レンズのアッベ数をνｄ１、前記第２レンズのアッベ数をνｄ２、前記第３レンズのアッベ数をνｄ３、前記第４レンズのアッベ数をνｄ４、前記第５レンズのアッベ数をνｄ５としたとき、
４０＜νｄ１＜７５
２０＜νｄ２＜３５
４０＜νｄ３＜７５
４０＜νｄ４＜７５
２０＜νｄ５＜３５
を満足する撮像レンズ。
【請求項２】
前記第６レンズおよび前記第７レンズは共に負の屈折力を有し、
前記第６レンズのアッベ数をνｄ６、前記第７レンズのアッベ数をνｄ７としたとき、
２０＜νｄ６＜３５
４０＜νｄ７＜７５
を満足する請求項１に記載の撮像レンズ。
【請求項３】
前記第１レンズの焦点距離をｆ１、前記第３レンズの焦点距離をｆ３としたとき、
０．３＜ｆ３／ｆ１＜３．０
を満足する請求項１または２に記載の撮像レンズ。
【請求項４】
前記第２レンズの焦点距離をｆ２、前記第３レンズの焦点距離をｆ３としたとき、
−３．０＜ｆ２／ｆ３＜−０．３
を満足する請求項１〜３のいずれか一項に記載の撮像レンズ。
【請求項５】
レンズ系全体の焦点距離をｆ、前記第４レンズの焦点距離をｆ４としたとき、
４．５＜ｆ４／ｆ＜９．０
を満足する請求項１〜４のいずれか一項に記載の撮像レンズ。
【請求項６】
レンズ系全体の焦点距離をｆ、前記第４レンズおよび前記第５レンズの合成焦点距離をｆ４５としたとき、
１．５＜ｆ４５／ｆ＜５．０
を満足する請求項１〜５のいずれか一項に記載の撮像レンズ。
【請求項７】
レンズ系全体の焦点距離をｆ、前記第５レンズと前記第６レンズとの間の光軸上の距離をＤ５６としたとき、
０．０５＜Ｄ５６／ｆ＜０．２５
を満足する請求項１〜６のいずれか一項に記載の撮像レンズ。
【請求項８】
レンズ系全体の焦点距離をｆ、前記第７レンズの焦点距離をｆ７としたとき、
−４．０＜ｆ７／ｆ＜−１．０
を満足する請求項１〜７のいずれか一項に記載の撮像レンズ。
【発明の詳細な説明】
【技術分野】
【０００１】
本発明は、ＣＣＤセンサやＣＭＯＳセンサ等の撮像素子上に被写体像を形成する撮像レンズに係り、携帯電話機や携帯情報端末等の携帯機器に内蔵されるカメラ、デジタルスティルカメラ、セキュリティカメラ、車載カメラ、ネットワークカメラ等の比較的小型のカメラへの組み込みが好適な撮像レンズに関するものである。
【背景技術】
【０００２】
近年、通話主体の携帯電話機に代わり、携帯電話機に携帯情報端末（PDA）やパーソナルコンピュータの機能を付加した、いわゆるスマートフォン（smartphone）が普及してきている。スマートフォンは携帯電話機に比べて高機能であるため、カメラで撮影された画像は様々なアプリケーションで利用されることになる。
【０００３】
一般的に携帯電話機やスマートフォンの製品群は、初級者向けの製品から上級者向けの製品まで様々な仕様の製品から構成されることが多い。このうち上級者向けに開発された製品に組み込まれる撮像レンズには、近年の高画素化された撮像素子にも対応することのできる解像度の高いレンズ構成が要求される。
【０００４】
高解像度の撮像レンズを実現する方法の一つとして、撮像レンズを構成するレンズの枚数を増加させる方法があるものの、レンズ枚数の増加は撮像レンズの大型化を招き易いため、レンズ枚数の多いレンズ構成は上述の携帯電話機やスマートフォン等の小型のカメラへの組み込みには不利となる。そこで、レンズ枚数をなるべく抑制する方向で撮像レンズの開発が進められてきた。しかしながら、撮像素子の高画素化技術が目まぐるしく進歩している昨今、撮像レンズの開発においては光学全長（Total Track Length）の短縮よりもむしろ高解像度のレンズ構成の実現に開発の中心が移りつつある。一例として、従来のように撮像レンズおよび撮像素子を含むカメラユニットを携帯電話機やスマートフォン等の内部に組み込むのではなく、これら携帯電話機やスマートフォン等に装着することによってデジタルスティルカメラと比較しても遜色のない画像を得られるようにしたカメラユニットの登場がある。
【０００５】
７枚のレンズから成るレンズ構成は、撮像レンズを構成するレンズの枚数が多いことから撮像レンズの小型化に関しては若干不利となるものの、設計上の自由度が高いため、諸収差の良好な補正や撮像レンズの小型化をバランスよく実現できる可能性を秘めている。こうした７枚構成の撮像レンズとしては、例えば特許文献１に記載の撮像レンズが知られている。
【０００６】
特許文献１に記載の撮像レンズは、両凸形状の第１レンズと、当該第１レンズに接合された両凹形状の第２レンズと、物体側に凸面を向けたメニスカス形状の負の第３レンズと、物体側に凹面を向けたメニスカス形状の正の第４レンズと、物体側に凸面を向けた負の第５レンズと、両凸形状の第６レンズと、両凹形状の第７レンズとが物体側から順に配置されて構成される。特許文献１の撮像レンズでは、第１レンズから第４レンズまでのレンズで構成される第１レンズ群の焦点距離と、第５レンズから第７レンズまでのレンズで構成される第２レンズ群の焦点距離との比を一定の範囲内に抑制することにより、撮像レンズの小型化と諸収差の良好な補正とを実現する。
【先行技術文献】
【特許文献】
【０００７】
【特許文献１】特開２０１２−１５５２２３号公報
【発明の概要】
【発明が解決しようとする課題】
【０００８】
しかしながら、上記特許文献１に記載の撮像レンズは小型であるものの、像面の補正が不十分であり、特に歪曲収差が比較的大きいため、高性能の撮像レンズを実現する上で自ずと限界が生じる。上記特許文献１に記載のレンズ構成では、撮像レンズの小型化を図りつつ良好な収差補正を実現することが困難である。
【０００９】
なお、こうした課題は携帯電話機やスマートフォンに組み込まれる撮像レンズに特有の課題ではなく、デジタルスティルカメラ、携帯情報端末、セキュリティカメラ、車載カメラ、ネットワークカメラ等の比較的小型のカメラに組み込まれる撮像レンズにおいても共通の課題である。
【００１０】
本発明の目的は、撮像レンズの小型化と良好な収差補正との両立を図ることのできる撮像レンズを提供することにある。
【課題を解決するための手段】
【００１１】
上記目的を達成するために本発明の撮像レンズは、物体側から像面側に向かって順に、正の屈折力を有する第１レンズ群と、正の屈折力を有する第２レンズ群と、負の屈折力を有する第３レンズ群とを配置して構成される。第１レンズ群は、正の屈折力を有する第１レンズと、負の屈折力を有する第２レンズと、正の屈折力を有する第３レンズとから構成される。第２レンズ群は、正の屈折力を有する第４レンズおよび正の屈折力を有する第５レンズから構成される。そして、第３レンズ群は第６レンズおよび第７レンズから構成される。また、第１レンズのアッベ数をνｄ１、第２レンズのアッベ数をνｄ２、第３レンズのアッベ数をνｄ３、第４レンズのアッベ数をνｄ４、第５レンズのアッベ数をνｄ５としたとき、本発明に係る撮像レンズは次の条件式（１）〜（５）を満足する。
４０＜νｄ１＜７５                          （１）
２０＜νｄ２＜３５                          （２）
４０＜νｄ３＜７５                          （３）
４０＜νｄ４＜７５                          （４）
２０＜νｄ５＜３５                          （５）
【００１２】
本発明の撮像レンズは、正の屈折力を有する第１レンズ群と同じく正の屈折力を有する第２レンズ群と負の屈折力を有する第３レンズ群とが物体側から順に配置される構成であり、各レンズ群の屈折力の配列が物体側から「正正負」となるレンズ構成である。一般的には、物体側から順に正の屈折力を有するレンズ群と負の屈折力を有するレンズ群との組合せによって色収差の補正が行われる。このようなレンズ構成において、撮像レンズの小型化を実現するためには、物体側に配置された正のレンズ群の屈折力を強くする必要がある。しかしながら、正の屈折力を有するレンズ群の屈折力が強くなると、色収差の良好な補正が困難になることが多い。
【００１３】
本発明に係る撮像レンズでは、第１レンズ群と第２レンズ群とでレンズ系全体の正の屈折力が分担される。このため、正の屈折力を有するレンズ群が一つの場合に比較して、各レンズ群を構成する正レンズの屈折力が比較的弱く抑えられることになる。よって、本発明の撮像レンズによれば、諸収差のうち特に色収差が良好に補正されることとなり、高解像度の撮像レンズに必要な良好な結像性能を得ることが可能となる。また、本発明の撮像レンズでは第３レンズ群が負の屈折力を有することから、撮像レンズの小型化が好適に図られる。
【００１４】
上記第１レンズ群は、屈折力の配列が正負正となる３枚のレンズから構成される。これら３枚のレンズは条件式（１）〜（３）を満足するレンズ材料からそれぞれ形成される。こうした各レンズの屈折力の配列とアッベ数の並びによって、第１レンズ群においては色収差の発生が好適に抑制されるとともに、発生した色収差については良好に補正される。
【００１５】
また、本発明に係る撮像レンズにおいて第２レンズ群は、２枚の正レンズから構成されるとともに、上述の条件式（４）および（５）を満足するように高分散のレンズ材料と低分散のレンズ材料との組合わせで構成される。このため、第１レンズ群にて発生した諸収差のうち特に色収差がより良好に補正される。一般的に、高解像度の撮像レンズを実現するためには、諸収差のうちでも特に色収差を良好に補正する必要がある。本発明の撮像レンズによれば、第１レンズ群から第３レンズ群までの各レンズ群の屈折力の配列、第１レンズ群を構成する３枚のレンズの屈折力の配列およびアッベ数の並び、そして第２レンズ群を構成する２枚の正レンズのアッベ数の並びによって、従来の撮像レンズよりも良好に色収差が補正される。
【００１６】
上記構成の撮像レンズにおいては、第６レンズおよび第７レンズは共に負の屈折力を有し、第６レンズのアッベ数をνｄ６、第７レンズのアッベ数をνｄ７としたとき、次の条件式（６）および（７）を満足することが望ましい。
２０＜νｄ６＜３５                          （６）
４０＜νｄ７＜７５                          （７）
【００１７】
本発明に係る撮像レンズの第３レンズ群は、２枚の負レンズから構成されるとともに、上述の条件式（６）および（７）を満足するように低分散のレンズ材料と高分散のレンズ材料との組合わせで構成される。このため、第１レンズ群および第２レンズ群にて発生した諸収差のうち特に色収差がより良好に補正される。
【００１８】
上記構成の撮像レンズにおいては、第１レンズの焦点距離をｆ１、第３レンズの焦点距離をｆ３としたとき、次の条件式（８）を満足することが望ましい。
０．３＜ｆ３／ｆ１＜３．０                  （８）
【００１９】
条件式（８）は、撮像レンズの小型化を図りつつ、非点収差および像面湾曲を良好に補正するための条件である。上限値「３．０」を超えると、第１レンズ群において第３レンズの正の屈折力が弱くなるため、収差を補正するためには、同じく正の屈折力を有する第１レンズの正の屈折力を強くする必要が生じる。この場合、撮像レンズの小型化には有利となるものの、バックフォーカス（back focul lengh）が短くなるため、赤外線カットフィルタ等の挿入物を配置するための空間の確保が困難になる。また、非点収差のうちサジタル像面が像面側（プラス側）に倒れるため、画像周辺部が像面側に湾曲することとなり、良好な結像性能を得ることが困難となる。一方、下限値「０．３」を下回ると、バックフォーカスの確保が容易となるものの、撮像レンズの小型化が困難となる。また、画像周辺部においてタンジェンシャル像面が物体側（マイナス側）に湾曲するため、非点隔差が増大することとなり、この場合も良好な結像性能を得ることが困難となる。
【００２０】
上記構成の撮像レンズにおいては、第２レンズの焦点距離をｆ２、第３レンズの焦点距離をｆ３としたとき、次の条件式（９）を満足することが望ましい。
−３．０＜ｆ２／ｆ３＜−０．３              （９）
【００２１】
条件式（９）は、撮像レンズの小型化を図りつつ、色収差、像面湾曲、および非点収差のそれぞれを好ましい範囲内にバランスよく抑制するための条件である。上限値「−０．３」を超えると、第２レンズの負の屈折力が第３レンズの正の屈折力よりも相対的に強くなるため、バックフォーカスの確保や軸上色収差の補正には有利となるものの、撮像レンズの小型化が困難となる。また、画像周辺部において結像面が像面側に湾曲するため、像面湾曲が補正過剰の状態になるとともに非点隔差が増大する。よって、良好な結像性能を得ることが困難となる。一方、下限値「−３．０」を下回ると、撮像レンズの小型化には有利となるものの、バックフォーカスの確保が困難となる。また、非点隔差が増大するとともに、画像周辺部において結像面が物体側に湾曲し、像面湾曲が補正不足の状態となる。軸上色収差および倍率色収差もそれぞれ増大するため、この場合も良好な結像性能を得ることが困難となる。
【００２２】
上記構成の撮像レンズにおいては、レンズ系全体の焦点距離をｆ、第４レンズの焦点距離をｆ４としたとき、次の条件式（１０）を満足することが望ましい。
４．５＜ｆ４／ｆ＜９．０                  （１０）
【００２３】
条件式（１０）は、軸上色収差を良好に補正しつつ結像面の湾曲を抑制するための条件である。上限値「９．０」を超えると、第４レンズの有する正の屈折力がレンズ系全体の屈折力に対して弱くなる。これにより、軸上色収差は補正し易くなるものの、画像周辺部においてタンジェンシャル像面が湾曲するため、結像面の湾曲を抑制することが困難となる。一方、下限値「４．５」を下回ると、第４レンズの正の屈折力がレンズ系全体の屈折力に対して強くなるため、レンズ系全体の焦点距離が短くなり、バックフォーカスの確保が困難となる。なお、このように第４レンズの屈折力が強い状態において、他の正の屈折力を有するレンズの屈折力を弱くしたり、負の屈折力を有するレンズの屈折力を強くしたりすることで焦点距離の短縮を抑制しようとすると、非点隔差の増大を招くこととなり、結像面の湾曲を抑制することが困難になる。
【００２４】
上記構成の撮像レンズにおいては、レンズ系全体の焦点距離をｆ、第４レンズおよび第５レンズの合成焦点距離をｆ４５としたとき、次の条件式（１１）を満足することが望ましい。
１．５＜ｆ４５／ｆ＜５．０                （１１）
【００２５】
条件式（１１）は、撮像レンズの小型化を図りつつ、像面湾曲および非点収差を良好に補正するための条件である。上限値「５．０」を超えると、レンズ系全体の屈折力に対して第２レンズ群の正の屈折力が弱くなるため、収差を補正するためには第１レンズ群の正の屈折力を強くする必要が生じる。この結果、非点収差の補正や撮像レンズの小型化には有利となるものの、バックフォーカスの確保が困難となる。また、結像面が像面側に湾曲するため、良好な結像性能を得ることが困難となる。なお、第２レンズ群の正の屈折力の弱化に対して、第３レンズ群の負の屈折力を弱くすることによって収差を補正しようとすると、倍率の色収差の補正には有利となるものの非点隔差が増大することとなり、良好な結像性能を得ることが困難となる。一方、下限値「１．５」を下回ると、レンズ系全体の屈折力に対して第２レンズ群の正の屈折力が強くなるため、非点隔差が増大することとなり、良好な結像性能を得ることが困難となる。
【００２６】
上記構成の撮像レンズにおいては、第４レンズおよび第５レンズの合成焦点距離をｆ４５、第６レンズおよび第７レンズの合成焦点距離をｆ６７としたとき、次の条件式（１２）を満足することが望ましい。
−６．０＜ｆ４５／ｆ６７＜−１．５        （１２）
【００２７】
条件式（１２）は、撮像レンズの小型化を図りつつ、色収差および非点収差を良好に補正するための条件である。また、この条件式（１２）は、撮像レンズから出射した光線の撮像素子の像面への入射角度を抑制するための条件でもある。周知のように、ＣＣＤセンサーやＣＭＯＳセンサー等の撮像素子には、センサーに取り込むことのできる光線の入射角度の範囲、いわゆる主光線角度（ＣＲＡ：Chief Ray Angle）が予め定められている。撮像レンズから出射した光線の像面への入射角度をＣＲＡの範囲内に抑制することにより、画像の周辺部が暗くなる現象であるシェーディングの発生を好適に抑制することができる。
【００２８】
条件式（１２）において上限値「−１．５」を超えると、撮像レンズから出射した光線の像面への入射角度をＣＲＡの範囲内に抑制し易くなるとともに、バックフォーカスの確保が容易になる一方、撮像レンズの小型化が困難となる。また、非点収差のうちサジタル像面が像面側に湾曲するため、良好な結像性能を得ることが困難となる。一方、下限値「−６．０」を下回ると、撮像レンズの小型化には有利となるものの、バックフォーカスの確保が困難になる。さらに、撮像レンズから出射した光線の像面への入射角度をＣＲＡの範囲内に抑制することも困難になる。また、非点収差のうちタンジェンシャル像面が物体側に湾曲するため、非点隔差が増大することとなり、良好な結像性能を得ることが困難となる。
【００２９】
上記構成の撮像レンズにおいては、レンズ系全体の焦点距離をｆ、第３レンズと第４レンズとの間の光軸上の距離をＤ３４としたとき、次の条件式（１３）を満足することが望ましい。
０．０５＜Ｄ３４／ｆ＜０．３              （１３）
【００３０】
条件式（１３）は、撮像レンズから出射した光線の撮像素子の像面への入射角度をＣＲＡの範囲内に抑制しつつ、非点収差および歪曲収差を良好に補正するための条件である。上限値「０．３」を超えると、撮像レンズから出射した光線の像面への入射角度をＣＲＡの範囲内に抑制することが困難になる。また、非点収差のうちサジタル像面が像面側に湾曲するため、非点隔差が増大することとなり、像面湾曲が補正過剰の状態となる。よって、良好な結像性能を得ることが困難となる。一方、下限値「０．０５」を下回ると、撮像レンズから出射した光線の像面への入射角度をＣＲＡの範囲内に抑制し易くなるものの、マイナスの歪曲収差が増大するとともに、非点収差のうちサジタル像面が物体側に湾曲することとなり、この場合も良好な結像性能を得ることが困難となる。
【００３１】
上記構成の撮像レンズにおいては、レンズ系全体の焦点距離をｆ、第５レンズと第６レンズとの間の光軸上の距離をＤ５６としたとき、次の条件式（１４）を満足することが望ましい。
０．０５＜Ｄ５６／ｆ＜０．２５            （１４）
【００３２】
条件式（１４）は、撮像レンズから出射した光線の撮像素子の像面への入射角度をＣＲＡの範囲内に抑制しつつ、色収差および歪曲収差を良好に補正するための条件である。上限値「０．２５」を超えると、プラスの歪曲収差が増大するとともに画像周辺部において倍率色収差が増大するため、良好な結像性能を得ることが困難となる。またこの場合、バックフォーカスの確保が困難になるとともに、撮像レンズから出射した光線の像面への入射角度をＣＲＡの範囲内に抑制することが困難となる。一方、下限値「０．０５」を下回ると、バックフォーカスを確保し易くなり、撮像レンズから出射した光線の像面への入射角度もＣＲＡの範囲内に抑制し易くなるものの、マイナスの歪曲収差が増大するため良好な結像性能を得ることが困難となる。
【００３３】
上記構成の撮像レンズにおいては、レンズ系全体の焦点距離をｆ、第７レンズの焦点距離をｆ７としたとき、次の条件式（１５）を満足することが望ましい。
−４．０＜ｆ７／ｆ＜−１．０              （１５）
【００３４】
条件式（１５）は、像面湾曲、非点収差、および色収差のそれぞれを良好な範囲内にバランスよく抑制するための条件である。上限値「−１．０」を超えると、レンズ系全体の屈折力に対して第７レンズの有する負の屈折力が相対的に強くなるため、非点隔差が増大するとともに結像面が像面側に湾曲することとなり、像面湾曲が補正過剰の状態となる。また、画像周辺部において倍率色収差が増大するため、良好な結像性能を得ることが困難となる。一方、下限値「−４．０」を下回ると、レンズ系全体の屈折力に対して第７レンズの有する負の屈折力が相対的に弱くなるため、軸上色収差が補正不足（基準波長の焦点位置に対して短波長の焦点位置が物体側に移動）となり、良好な結像性能を得ることが困難となる。またこの場合、非点収差の補正も困難になる。
【００３５】
上記構成の撮像レンズにおいて第６レンズおよび第７レンズは、光軸からレンズ周辺部に向かうにつれて正の屈折力が強くなる非球面形状に形成されることが望ましい。
【００３６】
第３レンズ群を構成する第６レンズおよび第７レンズを、光軸からレンズ周辺部に向かうにつれて正の屈折力が強くなる非球面形状に形成することにより、軸上の色収差のみならず軸外の倍率色収差が良好に補正されるようになるとともに、撮像レンズから出射した光線の像面への入射角度が好適に抑制されることとなる。
【発明の効果】
【００３７】
本発明の撮像レンズによれば、諸収差が良好に補正された高い解像度を有しながらも、小型のカメラへの組込みに特に適した小型の撮像レンズを提供することができる。
【図面の簡単な説明】
【００３８】
【図１】本発明の一実施の形態について、数値実施例１に係る撮像レンズの概略構成を示す断面図である。
【図２】図１に示す撮像レンズの横収差を示す収差図である。
【図３】図１に示す撮像レンズの球面収差、非点収差、歪曲収差を示す収差図である。
【図４】本発明の一実施の形態について、数値実施例２に係る撮像レンズの概略構成を示す断面図である。
【図５】図４に示す撮像レンズの横収差を示す収差図である。
【図６】図４に示す撮像レンズの球面収差、非点収差、歪曲収差を示す収差図である。
【図７】本発明の一実施の形態について、数値実施例３に係る撮像レンズの概略構成を示す断面図である。
【図８】図７に示す撮像レンズの横収差を示す収差図である。
【図９】図７に示す撮像レンズの球面収差、非点収差、歪曲収差を示す収差図である。
【図１０】本発明の一実施の形態について、数値実施例４に係る撮像レンズの概略構成を示す断面図である。
【図１１】図１０に示す撮像レンズの横収差を示す収差図である。
【図１２】図１０に示す撮像レンズの球面収差、非点収差、歪曲収差を示す収差図である。
【図１３】本発明の一実施の形態について、数値実施例５に係る撮像レンズの概略構成を示す断面図である。
【図１４】図１３に示す撮像レンズの横収差を示す収差図である。
【図１５】図１３に示す撮像レンズの球面収差、非点収差、歪曲収差を示す収差図である。
【図１６】本発明の一実施の形態について、数値実施例６に係る撮像レンズの概略構成を示す断面図である。
【図１７】図１６に示す撮像レンズの横収差を示す収差図である。
【図１８】図１６に示す撮像レンズの球面収差、非点収差、歪曲収差を示す収差図である。
【発明を実施するための形態】
【００３９】
以下、本発明を具体化した一実施の形態について、図面を参照しながら詳細に説明する。
【００４０】
図１、図４、図７、図１０、図１３、および図１６は、本実施の形態の数値実施例１〜６に係る撮像レンズの概略構成を示す断面図である。いずれの数値実施例も基本的なレンズ構成は同一であるため、ここでは数値実施例１の概略断面図を参照しながら、本実施の形態に係る撮像レンズのレンズ構成について説明する。
【００４１】
図１に示すように本実施の形態に係る撮像レンズは、物体側から像面側に向かって順に、正の屈折力を有する第１レンズ群Ｇ１と、正の屈折力を有する第２レンズ群Ｇ２と、負の屈折力を有する第３レンズ群Ｇ３とが配列されて構成される。第３レンズ群Ｇ３と撮像素子の像面ＩＭとの間にはフィルタ１０が配置される。このフィルタ１０は割愛することも可能である。
【００４２】
第１レンズ群Ｇ１は、物体側から順に、正の屈折力を有する第１レンズＬ１と、開口絞りＳＴと、負の屈折力を有する第２レンズＬ２と、正の屈折力を有する第３レンズＬ３とから構成される。第１レンズＬ１は、物体側の面の曲率半径ｒ１が正となり、像面側の面の曲率半径ｒ２が負となる形状であって、光軸Ｘの近傍において両凸レンズとなる形状に形成される。この第１レンズＬ１の形状は本数値実施例１に係る形状に限定されるものではない。第１レンズＬ１の形状は、物体側の面の曲率半径ｒ１が正となる形状であればよく、像面側の面の曲率半径ｒ２が正となる形状、すなわち光軸Ｘの近傍において物体側に凸面を向けたメニスカスレンズとなる形状でもよい。数値実施例２、３、および５は、第１レンズＬ１の形状が光軸Ｘの近傍において物体側に凸面を向けたメニスカスレンズとなる例である。
【００４３】
第２レンズＬ２は、物体側の面の曲率半径ｒ４および像面側の面の曲率半径ｒ５が共に正となる形状であって、光軸Ｘの近傍において物体側に凸面を向けたメニスカスレンズとなる形状に形成される。なお、第２レンズＬ２の形状は本数値実施例１に係る形状に限定されるものではない。第２レンズＬ２の形状は、像面側の面の曲率半径ｒ５が正となる形状であればよく、物体側の面の曲率半径ｒ４が負となる形状、すなわち光軸Ｘの近傍において両凹レンズとなる形状でもよい。
【００４４】
第３レンズＬ３は、物体側の面の曲率半径ｒ６が正となり、像面側の面の曲率半径ｒ７が負となる形状であって、光軸Ｘの近傍において両凸レンズとなる形状に形成される。第３レンズＬ３の形状は本数値実施例１に係る形状に限定されるものではなく、物体側の面の曲率半径ｒ６が正となる形状であればよい。第３レンズＬ３の形状は、像面側の面の曲率半径ｒ７が正となる形状、すなわち光軸Ｘの近傍において物体側に凸面を向けたメニスカスレンズとなる形状でもよい。数値実施例４は、第３レンズＬ３の形状が光軸Ｘの近傍において物体側に凸面を向けたメニスカスレンズとなる例である。
【００４５】
第２レンズ群Ｇ２は、物体側から順に、正の屈折力を有する第４レンズＬ４と、正の屈折力を有する第５レンズＬ５とから構成される。このうち第４レンズＬ４は、物体側の面の曲率半径ｒ８および像面側の面の曲率半径ｒ９が共に負となる形状であって、光軸Ｘの近傍において物体側に凹面を向けたメニスカスレンズとなる形状に形成される。
【００４６】
第５レンズＬ５は、物体側の面の曲率半径ｒ１０および像面側の面の曲率半径ｒ１１が共に負となる形状であって、光軸Ｘの近傍において物体側に凹面を向けたメニスカスレンズとなる形状に形成される。なお、第５レンズＬ５の形状は本数値実施例１に係る形状に限定されるものではない。第５レンズＬ５の形状は、像面側の面の曲率半径ｒ１１が負となる形状であればよく、物体側の面の曲率半径ｒ１０が正となる形状、すなわち光軸Ｘの近傍において両凸レンズとなる形状でもよい。数値実施例２は、第５レンズＬ５の形状が、光軸Ｘの近傍において両凸レンズとなる例である。
【００４７】
第３レンズ群Ｇ３は、物体側から順に、負の屈折力を有する第６レンズＬ６と、負の屈折力を有する第７レンズＬ７とから構成される。第６レンズＬ６は、物体側の面の曲率半径ｒ１２および像面側の面の曲率半径ｒ１３が共に正となる形状であって、光軸Ｘの近傍において物体側に凸面を向けたメニスカスレンズとなる形状に形成される。また、第７レンズＬ７は、物体側の面の曲率半径ｒ１４および像面側の面の曲率半径ｒ１５が共に正となる形状であって、光軸Ｘの近傍において物体側に凸面を向けたメニスカスレンズとなる形状に形成される。
【００４８】
これら第６レンズＬ６および第７レンズＬ７において、物体側の面および像面側の面は変曲点を有する非球面形状に形成されるとともに、光軸Ｘからレンズ周辺部に向かうにつれて正の屈折力が強くなる形状に形成される。第６レンズＬ６および第７レンズＬ７の有するこのような形状により、軸上の色収差のみならず軸外の倍率色収差が良好に補正されるとともに、撮像レンズから出射した光線の像面ＩＭへの入射角度が主光線角度（ＣＲＡ：Chief Ray Angle）の範囲内に好適に抑制される。
【００４９】
なお、本数値実施例１に係る撮像レンズにおいては第６レンズＬ６および第７レンズＬ７の物体側の面および像面側の面の両面が変曲点を有する非球面形状に形成されているが、必ずしもこれら両面とも変曲点を有する非球面形状に形成する必要はない。変曲点を有する非球面形状の面がこれら面のいずれかのみであったとしても、これら双方のレンズあるいは一方のレンズを、光軸Ｘからレンズ周辺部に向かうにつれて正の屈折力が強くなる形状のレンズに形成することは可能である。また、要求される光学性能や撮像レンズの小型化の程度によっては、第６レンズＬ６および第７レンズＬ７に必ずしも変曲点を設ける必要はない。
【００５０】
本実施の形態に係る撮像レンズは、以下に示す条件式（１）〜（１５）を満足する。
４０＜νｄ１＜７５                          （１）
２０＜νｄ２＜３５                          （２）
４０＜νｄ３＜７５                          （３）
４０＜νｄ４＜７５                          （４）
２０＜νｄ５＜３５                          （５）
２０＜νｄ６＜３５                          （６）
４０＜νｄ７＜７５                          （７）
０．３＜ｆ３／ｆ１＜３．０                  （８）
−３．０＜ｆ２／ｆ３＜−０．３              （９）
４．５＜ｆ４／ｆ＜９．０                  （１０）
１．５＜ｆ４５／ｆ＜５．０                （１１）
−６．０＜ｆ４５／ｆ６７＜−１．５        （１２）
０．０５＜Ｄ３４／ｆ＜０．３              （１３）
０．０５＜Ｄ５６／ｆ＜０．２５            （１４）
−４．０＜ｆ７／ｆ＜−１．０              （１５）
但し、
νｄ１：第１レンズＬ１のアッベ数
νｄ２：第２レンズＬ２のアッベ数
νｄ３：第３レンズＬ３のアッベ数
νｄ４：第４レンズＬ４のアッベ数
νｄ５：第５レンズＬ５のアッベ数
νｄ６：第６レンズＬ６のアッベ数
νｄ７：第７レンズＬ７のアッベ数
ｆ：レンズ系全体の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｆ７：第７レンズＬ７の焦点距離
ｆ４５：第４レンズＬ４および第５レンズＬ５の合成焦点距離
ｆ６７：第６レンズＬ６および第７レンズＬ７の合成焦点距離
Ｄ３４：第３レンズＬ３と第４レンズＬ４との間の光軸上の距離
Ｄ５６：第５レンズＬ５と第６レンズＬ６との間の光軸上の距離
【００５１】
本実施の形態の撮像レンズは、諸収差をさらに良好に補正するために次の条件式（１６）を満足する。
０．７＜ｆ６／ｆ７＜１．４                （１６）
条件式（１６）は、撮像レンズから出射した光線の像面ＩＭへの入射角度をＣＲＡの範囲内に抑制しつつ、歪曲収差を良好に補正するための条件である。上限値「１．４」を超えると、撮像レンズから出射した光線の像面ＩＭへの入射角度をＣＲＡの範囲内に抑制し易くなるものの、像面ＩＭに近い第７レンズＬ７の屈折力が第６レンズＬ６の屈折力よりも強くなるため、マイナス方向の歪曲収差が増大することとなり、良好な結像性能を得ることが困難となる。一方、下限値「０．７」を下回ると、プラス方向の歪曲収差が増大するため良好な結像性能を得ることが困難となる。また、撮像レンズから出射した光線の像面ＩＭへの入射角度をＣＲＡの範囲内に抑制することが困難となる。
【００５２】
なお、上記各条件式の全てを満たす必要はなく、上記各条件式のそれぞれを単独に満たすことにより、各条件式に対応する作用効果をそれぞれ得ることができる。
【００５３】
本実施の形態では各レンズのレンズ面が非球面で形成されている。これらレンズ面に採用される非球面形状は、光軸方向の軸をＺ、光軸に直交する方向の高さをＨ、円錐係数をｋ、非球面係数をＡ4、Ａ6、Ａ8、Ａ10、Ａ12、Ａ14、Ａ16としたとき、次式により表される。
【数１】
2015161871.tif 000003
【００５４】
次に、本実施の形態に係る撮像レンズの数値実施例を示す。各数値実施例において、ｆはレンズ系全体の焦点距離、ＦｎｏはＦナンバー、ωは半画角をそれぞれ示す。ｉは物体側より数えた面番号、ｒは曲率半径、ｄは光軸上のレンズ面間の距離（面間隔）、ｎｄは屈折率、νｄはアッベ数をそれぞれ示す。なお、＊（アスタリスク）の符号が付加された面番号は非球面であることを示す。
【００５５】
数値実施例１
基本的なレンズデータを以下に示す。
f=11.91mm、Fno=2.9、ω=27.1°
単位    ｍｍ
面データ
面番号ｉ            ｒ         ｄ        ｎｄ    νｄ
（物面）            ∞         ∞
1*           4.933      1.070      1.5346    56.1(=νd1)
2*        -930.893     -0.035
3（絞り）       ∞      0.112
4*          18.923      0.311      1.6355    24.0(=νd2)
5*           5.803      0.113
6*           9.618      1.053      1.5346    56.1(=νd3)
7*         -26.477      1.108(=D34)
8*          -4.816      1.452      1.5346    56.1(=νd4)
9*          -4.880      0.100
10*         -20.892      1.258      1.6355    24.0(=νd5)
11*         -16.143      1.269(=D56)
12*          10.109      1.086      1.6355    24.0(=νd6)
13*           5.202      0.858
14*           6.128      1.015      1.5346    56.1(=νd7)
15*           3.566      0.700
16               ∞      0.300      1.5168    64.2
17               ∞      1.693
（像面）            ∞
【００５６】
非球面データ
第１面
ｋ=0.000,Ａ4=-2.258E-03,Ａ6=-1.716E-04,Ａ8=-8.402E-05,
Ａ10=7.188E-06,Ａ12=-1.727E-07,Ａ14=-5.544E-08,Ａ16=-4.827E-09
第２面
ｋ=0.000,Ａ4=1.813E-02,Ａ6=-1.657E-02,Ａ8=5.660E-03,
Ａ10=-9.632E-04,Ａ12=3.919E-05,Ａ14=9.322E-06,Ａ16=-9.282E-07
第４面
ｋ=0.000,Ａ4=2.004E-02,Ａ6=-2.109E-02,Ａ8=7.483E-03,
Ａ10=-1.366E-03,Ａ12=7.946E-05,Ａ14=1.008E-05,Ａ16=-1.275E-06
第５面
ｋ=0.000,Ａ4=1.328E-02,Ａ6=-1.197E-02,Ａ8=2.756E-03,
Ａ10=-3.323E-04,Ａ12=9.334E-06,Ａ14=1.543E-06,Ａ16=6.238E-09
第６面
ｋ=0.000,Ａ4=1.412E-02,Ａ6=-7.356E-03,Ａ8=1.464E-03,
Ａ10=-1.635E-04,Ａ12=9.896E-06,Ａ14=3.578E-07,Ａ16=-7.427E-08
第７面
ｋ=0.000,Ａ4=-4.229E-03,Ａ6=-6.810E-04,Ａ8=2.136E-04,
Ａ10=-1.640E-05,Ａ12=-8.553E-07,Ａ14=-3.664E-07,Ａ16=1.570E-08
第８面
ｋ=0.000,Ａ4=-7.525E-03,Ａ6=4.344E-04,Ａ8=1.460E-04,
Ａ10=-4.222E-05,Ａ12=-2.416E-07,Ａ14=2.207E-07,Ａ16=2.681E-08
第９面
ｋ=0.000,Ａ4=-1.153E-03,Ａ6=4.237E-04,Ａ8=-3.266E-06,
Ａ10=1.184E-06,Ａ12=-1.703E-06,Ａ14=6.357E-08,Ａ16=2.051E-08
第１０面
ｋ=0.000,Ａ4=-2.682E-03,Ａ6=-4.429E-04,Ａ8=-8.312E-05,
Ａ10=2.024E-06,Ａ12=-9.278E-07,Ａ14=-1.690E-08,Ａ16=5.362E-09
第１１面
ｋ=0.000,Ａ4=-2.770E-03,Ａ6=-5.065E-04,Ａ8=7.597E-06,
Ａ10=-1.210E-06,Ａ12=3.920E-08,Ａ14=4.009E-09,Ａ16=-4.901E-11
第１２面
ｋ=0.000,Ａ4=-7.263E-03,Ａ6=-2.582E-06,Ａ8=-1.576E-06,
Ａ10=3.658E-07,Ａ12=1.955E-08,Ａ14=6.544E-10,Ａ16=-1.041E-10
第１３面
ｋ=0.000,Ａ4=-7.953E-03,Ａ6=1.117E-04,Ａ8=1.769E-06,
Ａ10=-1.619E-07,Ａ12=1.220E-09,Ａ14=-7.531E-11,Ａ16=1.176E-12
第１４面
ｋ=0.000,Ａ4=-1.499E-02,Ａ6=4.386E-04,Ａ8=4.879E-07,
Ａ10=1.022E-07,Ａ12=-2.511E-09,Ａ14=-4.879E-10,Ａ16=6.044E-12
第１５面
ｋ=-5.275,Ａ4=-7.965E-03,Ａ6=3.077E-04,Ａ8=-7.619E-06,
Ａ10=1.795E-07,Ａ12=8.605E-09,Ａ14=-5.893E-10,Ａ16=8.607E-12
【００５７】
f1=9.18mm
f2=-13.29mm
f3=13.33mm
f4=99.43mm
f5=101.31mm
f6=-18.45mm
f7=-18.52mm
f45=48.43mm
f67=-8.78mm
【００５８】
各条件式の値を以下に示す。
f3/f1=1.45
f2/f3=-1.00
f4/f=8.35
f45/f=4.07
f45/f67=-5.51
D34/f=0.09
D56/f=0.11
f7/f=-1.55
f2/f1=-1.45
f6/f7=1.00
このように、本数値実施例１に係る撮像レンズは上記各条件式を満足する。第１レンズＬ１の物体側の面から像面ＩＭまでの光軸上の距離（フィルタ１０は空気換算長）は１３．３６ｍｍであり、撮像レンズの小型化が図られている。
【００５９】
図２は、数値実施例１の撮像レンズについて、最大像高に対する各像高の比Ｈ（以下、「像高比Ｈ」という）に対応する横収差をタンジェンシャル方向とサジタル方向とに分けて示したものである（図５、図８、図１１、図１４、および図１７においても同じ）。また、図３は、数値実施例１の撮像レンズについて、球面収差（ｍｍ）、非点収差（ｍｍ）、および歪曲収差（％）をそれぞれ示したものである。これら収差図において、横収差図および球面収差図には、ｇ線（４３５．８４ｎｍ）、ｅ線（５４６．０７ｎｍ）、Ｃ線（６５６．２７ｎｍ）の各波長に対する収差量を示し、非点収差図には、サジタル像面Ｓの収差量とタンジェンシャル像面Ｔの収差量とをそれぞれ示す（図６、図９、図１２、図１５、および図１８においても同じ）。図２および図３に示されるように、本数値実施例１に係る撮像レンズによれば諸収差が良好に補正される。
【００６０】
数値実施例２
基本的なレンズデータを以下に示す。
f=11.12mm、Fno=2.4、ω=28.7°
単位    ｍｍ
面データ
面番号ｉ            ｒ         ｄ        ｎｄ    νｄ
（物面）            ∞         ∞
1*           5.672      2.085      1.5346    56.1(=νd1)
2*          13.631     -0.0003
3（絞り）       ∞      0.105
4*          40.182      0.382      1.6355    24.0(=νd2)
5*           6.117      0.049
6*           5.905      0.762      1.5346    56.1(=νd3)
7*         -38.291      0.990(=D34)
8*          -3.431      0.350      1.5346    56.1(=νd4)
9*          -3.240      0.108
10*          84.917      0.616      1.6355    24.0(=νd5)
11*         -58.992      1.736(=D56)
12*           7.052      1.350      1.6355    24.0(=νd6)
13*           4.789      1.526
14*           4.948      1.105      1.5346    56.1(=νd7)
15*           3.686      0.680
16               ∞      0.300      1.5168    64.2
17               ∞      1.414
（像面）            ∞
【００６１】
非球面データ
第１面
ｋ=0.000,Ａ4=-1.916E-03,Ａ6=-2.614E-04,Ａ8=-4.202E-05,
Ａ10=9.800E-06,Ａ12=-5.793E-07,Ａ14=-1.528E-07,Ａ16=1.302E-08
第２面
ｋ=0.000,Ａ4=1.459E-02,Ａ6=-1.720E-02,Ａ8=5.644E-03,
Ａ10=-9.641E-04,Ａ12=4.106E-05,Ａ14=9.797E-06,Ａ16=-9.797E-07
第４面
ｋ=0.000,Ａ4=2.300E-02,Ａ6=-2.066E-02,Ａ8=7.394E-03,
Ａ10=-1.370E-03,Ａ12=8.034E-05,Ａ14=1.017E-05,Ａ16=-1.197E-06
第５面
ｋ=0.000,Ａ4=1.452E-02,Ａ6=-1.176E-02,Ａ8=2.846E-03,
Ａ10=-3.407E-04,Ａ12=7.751E-06,Ａ14=1.645E-06,Ａ16=4.227E-08
第６面
ｋ=0.000,Ａ4=9.445E-03,Ａ6=-7.185E-03,Ａ8=1.433E-03,
Ａ10=-1.523E-04,Ａ12=1.116E-05,Ａ14=2.227E-07,Ａ16=-1.217E-07
第７面
ｋ=0.000,Ａ4=-1.799E-03,Ａ6=-3.115E-04,Ａ8=1.941E-04,
Ａ10=-1.459E-05,Ａ12=-3.805E-07,Ａ14=-4.646E-07,Ａ16=-5.256E-08
第８面
ｋ=0.000,Ａ4=-1.097E-02,Ａ6=1.037E-03,Ａ8=2.046E-04,
Ａ10=-3.179E-05,Ａ12=9.872E-07,Ａ14=3.226E-07,Ａ16=2.150E-08
第９面
ｋ=0.000,Ａ4=-2.374E-04,Ａ6=7.402E-04,Ａ8=6.618E-05,
Ａ10=9.578E-06,Ａ12=-8.457E-07,Ａ14=1.366E-07,Ａ16=3.483E-08
第１０面
ｋ=0.000,Ａ4=8.502E-05,Ａ6=-6.845E-04,Ａ8=-3.961E-05,
Ａ10=7.821E-06,Ａ12=-3.182E-07,Ａ14=-2.580E-08,Ａ16=-1.121E-08
第１１面
ｋ=0.000,Ａ4=-3.546E-03,Ａ6=-1.316E-04,Ａ8=-5.946E-06,
Ａ10=-1.087E-06,Ａ12=8.261E-09,Ａ14=-8.166E-09,Ａ16=-1.513E-09
第１２面
ｋ=0.000,Ａ4=-2.321E-03,Ａ6=-1.480E-04,Ａ8=1.069E-05,
Ａ10=5.462E-08,Ａ12=-1.313E-08,Ａ14=4.805E-10,Ａ16=-2.217E-11
第１３面
ｋ=0.000,Ａ4=-5.114E-03,Ａ6=9.282E-05,Ａ8=-4.615E-06,
Ａ10=-1.475E-08,Ａ12=1.042E-08,Ａ14=-8.901E-11,Ａ16=-1.395E-11
第１４面
ｋ=0.000,Ａ4=-1.462E-02,Ａ6=5.096E-04,Ａ8=-6.553E-06,
Ａ10=2.050E-08,Ａ12=-1.745E-08,Ａ14=-7.332E-10,Ａ16=6.119E-11
第１５面
ｋ=-3.374,Ａ4=-8.463E-03,Ａ6=4.184E-04,Ａ8=-1.373E-05,
Ａ10=1.279E-07,Ａ12=1.100E-08,Ａ14=-5.270E-10,Ａ16=7.656E-12
【００６２】
f1=16.65mm
f2=-11.40mm
f3=9.63mm
f4=66.37mm
f5=54.86mm
f6=-30.56mm
f7=-38.90mm
f45=29.54mm
f67=-16.33mm
【００６３】
各条件式の値を以下に示す。
f3/f1=0.58
f2/f3=-1.18
f4/f=5.97
f45/f=2.66
f45/f67=-1.81
D34/f=0.09
D56/f=0.16
f7/f=-3.50
f2/f1=-0.68
f6/f7=0.79
このように、本数値実施例２に係る撮像レンズは上記各条件式を満足する。第１レンズＬ１の物体側の面から像面ＩＭまでの光軸上の距離（フィルタ１０は空気換算長）は１３．４６ｍｍであり、撮像レンズの小型化が図られている。
【００６４】
図５は、数値実施例２の撮像レンズについて、像高比Ｈに対応する横収差を示したものであり、図６は、球面収差（ｍｍ）、非点収差（ｍｍ）、および歪曲収差（％）をそれぞれ示したものである。図５および図６に示されるように、本数値実施例２に係る撮像レンズによっても諸収差が良好に補正される。
【００６５】
数値実施例３
基本的なレンズデータを以下に示す。
f=9.16mm、Fno=2.2、ω=33.6°
単位    ｍｍ
面データ
面番号ｉ            ｒ         ｄ        ｎｄ    νｄ
（物面）            ∞         ∞
1*           4.686      1.560      1.5346    56.1(=νd1)
2*          44.083     -0.003
3（絞り）       ∞      0.105
4*           9.892      0.859      1.6355    24.0(=νd2)
5*           5.248      0.157
6*           9.581      0.717      1.5346    56.1(=νd3)
7*         -35.654      0.786(=D34)
8*          -4.605      0.788      1.5346    56.1(=νd4)
9*          -4.271      0.030
10*         -12.412      1.699      1.6355    24.0(=νd5)
11*         -10.957      0.942(=D56)
12*           9.961      0.965      1.6355    24.0(=νd6)
13*           5.142      0.623
14*           5.891      1.292      1.5346    56.1(=νd7)
15*           3.732      0.700
16               ∞      0.300      1.5168    64.2
17               ∞      0.400
（像面）            ∞
【００６６】
非球面データ
第１面
ｋ=0.000,Ａ4=-5.228E-04,Ａ6=5.257E-05,Ａ8=-7.167E-05,
Ａ10=6.642E-06,Ａ12=-2.064E-07,Ａ14=-1.718E-08,Ａ16=-3.672E-09
第２面
ｋ=0.000,Ａ4=1.706E-02,Ａ6=-1.665E-02,Ａ8=5.716E-03,
Ａ10=-9.533E-04,Ａ12=4.016E-05,Ａ14=9.227E-06,Ａ16=-1.010E-06
第４面
ｋ=0.000,Ａ4=1.824E-02,Ａ6=-2.073E-02,Ａ8=7.501E-03,
Ａ10=-1.362E-03,Ａ12=8.090E-05,Ａ14=1.019E-05,Ａ16=-1.349E-06
第５面
ｋ=0.000,Ａ4=1.418E-02,Ａ6=-1.191E-02,Ａ8=2.763E-03,
Ａ10=-3.305E-04,Ａ12=9.678E-06,Ａ14=1.516E-06,Ａ16=-3.088E-08
第６面
ｋ=0.000,Ａ4=1.439E-02,Ａ6=-7.365E-03,Ａ8=1.463E-03,
Ａ10=-1.649E-04,Ａ12=9.715E-06,Ａ14=3.826E-07,Ａ16=-5.052E-08
第７面
ｋ=0.000,Ａ4=-4.115E-03,Ａ6=-4.089E-04,Ａ8=2.326E-04,
Ａ10=-1.364E-05,Ａ12=-4.022E-07,Ａ14=-3.544E-07,Ａ16=2.426E-10
第８面
ｋ=0.000,Ａ4=-8.156E-03,Ａ6=7.335E-04,Ａ8=1.820E-04,
Ａ10=-3.874E-05,Ａ12=9.548E-08,Ａ14=2.413E-07,Ａ16=3.202E-08
第９面
ｋ=0.000,Ａ4=-3.284E-03,Ａ6=1.711E-04,Ａ8=-3.665E-05,
Ａ10=-1.211E-06,Ａ12=-1.670E-06,Ａ14=1.315E-07,Ａ16=3.488E-08
第１０面
ｋ=0.000,Ａ4=-3.774E-03,Ａ6=-1.071E-03,Ａ8=-1.090E-04,
Ａ10=-1.136E-06,Ａ12=-1.366E-06,Ａ14=-6.579E-08,Ａ16=-7.522E-09
第１１面
ｋ=0.000,Ａ4=-1.977E-03,Ａ6=-3.375E-04,Ａ8=5.840E-06,
Ａ10=-9.285E-07,Ａ12=9.105E-08,Ａ14=7.992E-09,Ａ16=1.009E-11
第１２面
ｋ=0.000,Ａ4=-5.918E-03,Ａ6=-1.970E-05,Ａ8=2.285E-06,
Ａ10=2.484E-07,Ａ12=6.113E-09,Ａ14=6.331E-10,Ａ16=-6.092E-11
第１３面
ｋ=0.000,Ａ4=-7.396E-03,Ａ6=8.056E-05,Ａ8=2.029E-06,
Ａ10=-9.873E-08,Ａ12=3.717E-09,Ａ14=-5.325E-11,Ａ16=-5.178E-12
第１４面
ｋ=0.000,Ａ4=-1.274E-02,Ａ6=4.084E-04,Ａ8=-7.883E-07,
Ａ10=4.755E-08,Ａ12=-4.159E-09,Ａ14=-4.673E-10,Ａ16=1.490E-11
第１５面
ｋ=-4.383,Ａ4=-5.567E-03,Ａ6=2.400E-04,Ａ8=-9.162E-06,
Ａ10=1.827E-07,Ａ12=9.388E-09,Ａ14=-5.768E-10,Ａ16=8.323E-12
【００６７】
f1=9.67mm
f2=-18.95mm
f3=14.20mm
f4=60.48mm
f5=101.17mm
f6=-18.14mm
f7=-24.06mm
f45=38.45mm
f67=-9.69mm
【００６８】
各条件式の値を以下に示す。
f3/f1=1.47
f2/f3=-1.33
f4/f=6.60
f45/f=4.20
f45/f67=-3.97
D34/f=0.09
D56/f=0.10
f7/f=-2.63
f2/f1=-1.96
f6/f7=0.75
このように、本数値実施例３に係る撮像レンズは上記各条件式を満足する。第１レンズＬ１の物体側の面から像面ＩＭまでの光軸上の距離（フィルタ１０は空気換算長）は１１．８２ｍｍであり、撮像レンズの小型化が図られている。
【００６９】
図８は、数値実施例３の撮像レンズについて、像高比Ｈに対応する横収差を示したものであり、図９は、球面収差（ｍｍ）、非点収差（ｍｍ）、および歪曲収差（％）をそれぞれ示したものである。図８および図９に示されるように、本数値実施例３に係る撮像レンズによっても諸収差が良好に補正される。
【００７０】
数値実施例４
基本的なレンズデータを以下に示す。
f=11.52mm、Fno=2.8、ω=27.9°
単位    ｍｍ
面データ
面番号ｉ            ｒ         ｄ        ｎｄ    νｄ
（物面）            ∞         ∞
1*           5.117      1.025      1.5346    56.1(=νd1)
2*         -53.792     -0.065
3（絞り）       ∞      0.121
4*          33.647      0.385      1.6355    24.0(=νd2)
5*           6.316      0.111
6*          11.172      0.746      1.5346    56.1(=νd3)
7*         261.521      0.961(=D34)
8*          -4.905      1.202      1.5346    56.1(=νd4)
9*          -4.564      0.100
10*         -63.334      1.035      1.6355    24.0(=νd5)
11*         -18.755      2.149(=D56)
12*           8.382      1.036      1.6355    24.0(=νd6)
13*           5.211      1.755
14*           7.275      0.599      1.5346    56.1(=νd7)
15*           4.224      0.700
16               ∞      0.300      1.5168    64.2
17               ∞      1.259
（像面）            ∞
【００７１】
非球面データ
第１面
ｋ=0.000,Ａ4=-2.207E-03,Ａ6=-6.989E-05,Ａ8=-7.646E-05,
Ａ10=6.537E-06,Ａ12=-4.816E-07,Ａ14=-8.199E-08,Ａ16=3.638E-09
第２面
ｋ=0.000,Ａ4=1.851E-02,Ａ6=-1.657E-02,Ａ8=5.668E-03,
Ａ10=-9.618E-04,Ａ12=3.914E-05,Ａ14=9.359E-06,Ａ16=-9.285E-07
第４面
ｋ=0.000,Ａ4=2.025E-02,Ａ6=-2.097E-02,Ａ8=7.489E-03,
Ａ10=-1.365E-03,Ａ12=7.992E-05,Ａ14=1.014E-05,Ａ16=-1.285E-06
第５面
ｋ=0.000,Ａ4=1.323E-02,Ａ6=-1.195E-02,Ａ8=2.773E-03,
Ａ10=-3.309E-04,Ａ12=9.229E-06,Ａ14=1.525E-06,Ａ16=2.021E-08
第６面
ｋ=0.000,Ａ4=1.386E-02,Ａ6=-7.321E-03,Ａ8=1.465E-03,
Ａ10=-1.613E-04,Ａ12=1.051E-05,Ａ14=4.523E-07,Ａ16=-7.458E-08
第７面
ｋ=0.000,Ａ4=-4.107E-03,Ａ6=-6.095E-04,Ａ8=2.313E-04,
Ａ10=-1.564E-05,Ａ12=-1.063E-06,Ａ14=-4.057E-07,Ａ16=1.971E-08
第８面
ｋ=0.000,Ａ4=-7.452E-03,Ａ6=2.441E-04,Ａ8=1.544E-04,
Ａ10=-4.022E-05,Ａ12=-1.261E-07,Ａ14=2.097E-07,Ａ16=2.056E-08
第９面
ｋ=0.000,Ａ4=-1.153E-03,Ａ6=4.274E-04,Ａ8=-1.137E-05,
Ａ10=5.141E-07,Ａ12=-1.679E-06,Ａ14=6.825E-08,Ａ16=2.075E-08
第１０面
ｋ=0.000,Ａ4=-2.008E-03,Ａ6=-5.326E-04,Ａ8=-6.927E-05,
Ａ10=3.698E-06,Ａ12=-9.083E-07,Ａ14=-2.415E-08,Ａ16=2.387E-09
第１１面
ｋ=0.000,Ａ4=-2.664E-03,Ａ6=-4.928E-04,Ａ8=6.485E-06,
Ａ10=-1.390E-06,Ａ12=2.179E-08,Ａ14=2.943E-09,Ａ16=2.577E-11
第１２面
ｋ=0.000,Ａ4=-7.128E-03,Ａ6=-1.704E-06,Ａ8=-2.063E-06,
Ａ10=3.368E-07,Ａ12=1.676E-08,Ａ14=5.661E-10,Ａ16=-9.290E-11
第１３面
ｋ=0.000,Ａ4=-7.959E-03,Ａ6=1.161E-04,Ａ8=1.846E-06,
Ａ10=-1.411E-07,Ａ12=2.493E-09,Ａ14=-4.883E-11,Ａ16=-1.244E-12
第１４面
ｋ=0.000,Ａ4=-1.477E-02,Ａ6=4.361E-04,Ａ8=2.104E-07,
Ａ10=9.535E-08,Ａ12=-2.529E-09,Ａ14=-4.606E-10,Ａ16=1.104E-11
第１５面
ｋ=-5.017,Ａ4=-8.878E-03,Ａ6=3.107E-04,Ａ8=-7.809E-06,
Ａ10=1.765E-07,Ａ12=8.693E-09,Ａ14=-5.836E-10,Ａ16=8.814E-12
【００７２】
f1=8.79mm
f2=-12.30mm
f3=21.81mm
f4=55.06mm
f5=41.55mm
f6=-24.82mm
f7=-20.22mm
f45=22.80mm
f67=-10.77mm
【００７３】
各条件式の値を以下に示す。
f3/f1=2.48
f2/f3=-0.56
f4/f=4.78
f45/f=1.98
f45/f67=-2.12
D34/f=0.08
D56/f=0.19
f7/f=-1.76
f2/f1=-1.40
f6/f7=1.23
このように、本数値実施例４に係る撮像レンズは上記各条件式を満足する。第１レンズＬ１の物体側の面から像面ＩＭまでの光軸上の距離（フィルタ１０は空気換算長）は１３．３２ｍｍであり、撮像レンズの小型化が図られている。
【００７４】
図１１は、数値実施例４の撮像レンズについて、像高比Ｈに対応する横収差を示したものであり、図１２は、球面収差（ｍｍ）、非点収差（ｍｍ）、および歪曲収差（％）をそれぞれ示したものである。図１１および図１２に示されるように、本数値実施例４に係る撮像レンズによっても諸収差が良好に補正される。
【００７５】
数値実施例５
基本的なレンズデータを以下に示す。
f=8.67mm、Fno=2.2、ω=35.1°
単位    ｍｍ
面データ
面番号ｉ            ｒ         ｄ        ｎｄ    νｄ
（物面）            ∞         ∞
1*           4.768      1.225      1.5346    56.1(=νd1)
2*          13.787      0.006
3（絞り）       ∞      0.121
4*           9.112      1.131      1.6355    24.0(=νd2)
5*           5.264      0.174
6*           6.739      0.562      1.5346    56.1(=νd3)
7*         -18.422      0.894(=D34)
8*          -4.360      1.120      1.5346    56.1(=νd4)
9*          -4.203      0.023
10*         -13.261      1.306      1.6355    24.0(=νd5)
11*         -11.418      0.915(=D56)
12*           9.779      1.044      1.6355    24.0(=νd6)
13*           5.107      0.545
14*           6.050      1.172      1.5346    56.1(=νd7)
15*           3.667      0.680
16               ∞      0.300      1.5168    64.2
17               ∞      0.392
（像面）            ∞
【００７６】
非球面データ
第１面
ｋ=0.000,Ａ4=-1.442E-04,Ａ6=-4.252E-04,Ａ8=-5.829E-05,
Ａ10=7.729E-06,Ａ12=-7.729E-07,Ａ14=-2.721E-07,Ａ16=2.173E-08
第２面
ｋ=0.000,Ａ4=1.225E-02,Ａ6=-1.770E-02,Ａ8=5.696E-03,
Ａ10=-8.952E-04,Ａ12=4.534E-05,Ａ14=5.387E-06,Ａ16=-6.549E-07
第４面
ｋ=0.000,Ａ4=1.248E-02,Ａ6=-2.005E-02,Ａ8=7.570E-03,
Ａ10=-1.470E-03,Ａ12=1.137E-04,Ａ14=1.042E-05,Ａ16=-1.989E-06
第５面
ｋ=0.000,Ａ4=4.826E-03,Ａ6=-1.017E-02,Ａ8=2.627E-03,
Ａ10=-3.251E-04,Ａ12=9.698E-06,Ａ14=1.282E-06,Ａ16=-3.440E-08
第６面
ｋ=0.000,Ａ4=3.529E-03,Ａ6=-7.102E-03,Ａ8=1.423E-03,
Ａ10=-1.676E-04,Ａ12=1.021E-05,Ａ14=5.379E-07,Ａ16=-5.165E-09
第７面
ｋ=0.000,Ａ4=-3.710E-03,Ａ6=-2.157E-04,Ａ8=2.360E-04,
Ａ10=-5.668E-06,Ａ12=1.774E-07,Ａ14=1.109E-07,Ａ16=3.634E-08
第８面
ｋ=0.000,Ａ4=-3.150E-03,Ａ6=1.430E-03,Ａ8=1.997E-04,
Ａ10=-3.485E-05,Ａ12=-3.109E-07,Ａ14=2.738E-07,Ａ16=1.097E-08
第９面
ｋ=0.000,Ａ4=-3.571E-03,Ａ6=2.703E-04,Ａ8=-1.163E-05,
Ａ10=1.381E-06,Ａ12=-1.482E-06,Ａ14=-2.457E-08,Ａ16=1.603E-08
第１０面
ｋ=0.000,Ａ4=-7.473E-03,Ａ6=-8.908E-04,Ａ8=-1.243E-04,
Ａ10=5.264E-06,Ａ12=-5.447E-07,Ａ14=-1.393E-07,Ａ16=2.669E-08
第１１面
ｋ=0.000,Ａ4=-3.477E-03,Ａ6=-4.574E-04,Ａ8=1.270E-05,
Ａ10=7.131E-08,Ａ12=1.551E-07,Ａ14=2.009E-08,Ａ16=-1.129E-09
第１２面
ｋ=0.000,Ａ4=-7.052E-03,Ａ6=3.262E-05,Ａ8=4.109E-06,
Ａ10=3.024E-07,Ａ12=2.279E-09,Ａ14=-2.325E-10,Ａ16=-1.801E-11
第１３面
ｋ=0.000,Ａ4=-7.766E-03,Ａ6=1.105E-04,Ａ8=-3.842E-07,
Ａ10=-9.066E-08,Ａ12=5.815E-09,Ａ14=-4.823E-11,Ａ16=-5.462E-12
第１４面
ｋ=0.000,Ａ4=-1.216E-02,Ａ6=3.947E-04,Ａ8=-1.379E-06,
Ａ10=3.881E-08,Ａ12=-3.941E-09,Ａ14=-4.418E-10,Ａ16=1.538E-11
第１５面
ｋ=-3.754,Ａ4=-6.588E-03,Ａ6=3.515E-04,Ａ8=-1.117E-05,
Ａ10=1.138E-07,Ａ12=1.115E-08,Ａ14=-5.171E-10,Ａ16=6.563E-12
【００７７】
f1=13.02mm
f2=-22.14mm
f3=9.30mm
f4=62.66mm
f5=101.37mm
f6=-18.42mm
f7=-21.01mm
f45=38.47mm
f67=-9.32mm
【００７８】
各条件式の値を以下に示す。
f3/f1=0.71
f2/f3=-2.38
f4/f=7.23
f45/f=4.44
f45/f67=-4.13
D34/f=0.10
D56/f=0.11
f7/f=-2.42
f2/f1=-1.70
f6/f7=0.88
このように、本数値実施例５に係る撮像レンズは上記各条件式を満足する。第１レンズＬ１の物体側の面から像面ＩＭまでの光軸上の距離（フィルタ１０は空気換算長）は１１．５１ｍｍであり、撮像レンズの小型化が図られている。
【００７９】
図１４は、数値実施例５の撮像レンズについて、像高比Ｈに対応する横収差を示したものであり、図１５は、球面収差（ｍｍ）、非点収差（ｍｍ）、および歪曲収差（％）をそれぞれ示したものである。図１４および図１５に示されるように、本数値実施例５に係る撮像レンズによっても諸収差が良好に補正される。
【００８０】
数値実施例６
基本的なレンズデータを以下に示す。
f=8.40mm、Fno=2.2、ω=36.0°
単位    ｍｍ
面データ
面番号ｉ            ｒ         ｄ        ｎｄ    νｄ
（物面）            ∞         ∞
1*           7.658      1.100      1.5346    56.1(=νd1)
2*         -53.073     -0.069
3（絞り）       ∞      0.106
4*          16.879      0.380      1.6355    24.0(=νd2)
5*           6.417      0.076
6*           9.768      0.933      1.5346    56.1(=νd3)
7*         -10.747      2.035(=D34)
8*          -3.282      0.515      1.5346    56.1(=νd4)
9*          -3.135      0.030
10*         -49.303      0.923      1.6355    24.0(=νd5)
11*         -27.983      0.694(=D56)
12*           8.841      1.211      1.6355    24.0(=νd6)
13*           5.141      0.767
14*           5.521      1.198      1.5346    56.1(=νd7)
15*           3.529      0.680
16               ∞      0.300      1.5168    64.2
17               ∞      0.418
（像面）            ∞
【００８１】
非球面データ
第１面
ｋ=0.000,Ａ4=-4.156E-03,Ａ6=-5.223E-05,Ａ8=-5.968E-05,
Ａ10=1.006E-05,Ａ12=6.018E-08,Ａ14=-3.837E-08,Ａ16=-6.205E-09
第２面
ｋ=0.000,Ａ4=1.712E-02,Ａ6=-1.648E-02,Ａ8=5.700E-03,
Ａ10=-9.584E-04,Ａ12=3.864E-05,Ａ14=9.170E-06,Ａ16=-9.202E-07
第４面
ｋ=0.000,Ａ4=1.915E-02,Ａ6=-2.128E-02,Ａ8=7.442E-03,
Ａ10=-1.369E-03,Ａ12=7.994E-05,Ａ14=1.026E-05,Ａ16=-1.252E-06
第５面
ｋ=0.000,Ａ4=1.316E-02,Ａ6=-1.210E-02,Ａ8=2.743E-03,
Ａ10=-3.303E-04,Ａ12=1.025E-05,Ａ14=1.712E-06,Ａ16=1.496E-08
第６面
ｋ=0.000,Ａ4=1.443E-02,Ａ6=-7.325E-03,Ａ8=1.468E-03,
Ａ10=-1.653E-04,Ａ12=9.429E-06,Ａ14=3.314E-07,Ａ16=-5.385E-08
第７面
ｋ=0.000,Ａ4=-2.920E-03,Ａ6=-6.142E-04,Ａ8=2.006E-04,
Ａ10=-1.681E-05,Ａ12=-5.885E-07,Ａ14=-3.186E-07,Ａ16=1.411E-08
第８面
ｋ=0.000,Ａ4=-5.868E-03,Ａ6=4.981E-04,Ａ8=1.644E-04,
Ａ10=-3.745E-05,Ａ12=3.196E-07,Ａ14=2.464E-07,Ａ16=1.890E-08
第９面
ｋ=0.000,Ａ4=-2.778E-03,Ａ6=5.034E-04,Ａ8=-1.365E-06,
Ａ10=3.204E-07,Ａ12=-1.817E-06,Ａ14=6.919E-08,Ａ16=2.640E-08
第１０面
ｋ=0.000,Ａ4=-2.145E-03,Ａ6=-7.136E-04,Ａ8=-7.507E-05,
Ａ10=4.838E-06,Ａ12=-8.803E-07,Ａ14=-5.411E-08,Ａ16=-3.818E-09
第１１面
ｋ=0.000,Ａ4=-1.111E-03,Ａ6=-4.709E-04,Ａ8=1.734E-06,
Ａ10=-1.459E-06,Ａ12=5.712E-08,Ａ14=7.257E-09,Ａ16=2.782E-10
第１２面
ｋ=0.000,Ａ4=-4.802E-03,Ａ6=2.466E-05,Ａ8=-1.921E-07,
Ａ10=1.754E-07,Ａ12=5.647E-09,Ａ14=6.112E-10,Ａ16=-6.960E-11
第１３面
ｋ=0.000,Ａ4=-6.235E-03,Ａ6=6.105E-05,Ａ8=2.172E-06,
Ａ10=-1.096E-07,Ａ12=3.182E-09,Ａ14=-5.783E-11,Ａ16=-4.904E-12
第１４面
ｋ=0.000,Ａ4=-1.286E-02,Ａ6=4.059E-04,Ａ8=-7.829E-07,
Ａ10=4.146E-08,Ａ12=-4.337E-09,Ａ14=-4.785E-10,Ａ16=1.473E-11
第１５面
ｋ=-3.781,Ａ4=-5.334E-03,Ａ6=2.322E-04,Ａ8=-9.022E-06,
Ａ10=1.882E-07,Ａ12=9.396E-09,Ａ14=-5.765E-10,Ａ16=8.140E-12
【００８２】
f1=12.60mm
f2=-16.52mm
f3=9.73mm
f4=59.00mm
f5=100.14mm
f6=-22.14mm
f7=-23.14mm
f45=36.69mm
f67=-10.76mm
【００８３】
各条件式の値を以下に示す。
f3/f1=0.77
f2/f3=-1.70
f4/f=7.02
f45/f=4.37
f45/f67=-3.41
D34/f=0.24
D56/f=0.08
f7/f=-2.75
f2/f1=-1.31
f6/f7=0.96
このように、本数値実施例６に係る撮像レンズは上記各条件式を満足する。第１レンズＬ１の物体側の面から像面ＩＭまでの光軸上の距離（フィルタ１０は空気換算長）は１１．１９ｍｍであり、撮像レンズの小型化が図られている。
【００８４】
図１７は、数値実施例６の撮像レンズについて、像高比Ｈに対応する横収差を示したものであり、図１８は、球面収差（ｍｍ）、非点収差（ｍｍ）、および歪曲収差（％）をそれぞれ示したものである。図１７および図１８に示されるように、本数値実施例６に係る撮像レンズによっても諸収差が良好に補正される。
【００８５】
以上説明した本実施の形態に係る撮像レンズによれば、７０°以上の広い画角（２ω）を実現することができる。ちなみに上述の数値実施例１〜６に係る撮像レンズは５４．２°〜７２．０°の広い画角を有する。本実施の形態に係る撮像レンズによれば、従来の撮像レンズよりも広い範囲を撮影することが可能となる。
【００８６】
また近年では、撮像レンズを通じて得られた画像の任意の領域を画像処理によって拡大するデジタルズーム技術の進歩により、高画素の撮像素子と高解像度の撮像レンズとが組み合わせられることが多くなってきた。こうした高画素の撮像素子では各画素の受光面積が減少するため、撮影した画像が暗くなる傾向にある。これを補正するための方法として、電気回路を用いて撮像素子の受光感度を向上させる方法がある。しかしながら、受光感度が上がると画像の形成に直接寄与しないノイズ成分も増幅されてしまうため、新たにノイズ低減のための回路が必要になる。数値実施例１〜６の撮像レンズのＦｎｏは２．２〜２．９と小さな値になっている。本実施の形態に係る撮像レンズによれば、上記電気回路等を設けなくても十分に明るい画像を得ることができる。
【００８７】
したがって、上記実施の形態に係る撮像レンズを携帯電話機、携帯情報端末、およびスマートフォン等の携帯機器に内蔵されるカメラや、デジタルスティルカメラ、セキュリティカメラ、車載カメラ、ネットワークカメラ等の撮像光学系に適用した場合、当該カメラ等の高機能化と小型化の両立を図ることができる。
【産業上の利用可能性】
【００８８】
本発明は、携帯電話機、スマートフォン、携帯情報端末等の携帯機器に内蔵されるカメラ、デジタルスティルカメラ、セキュリティカメラ、車載カメラ、ネットワークカメラ等の比較的小型のカメラに組み込まれる撮像レンズに適用することができる。
【符号の説明】
【００８９】
Ｇ１    第１レンズ群
Ｇ２    第２レンズ群
Ｇ３    第３レンズ群
ＳＴ    開口絞り
Ｌ１    第１レンズ
Ｌ２    第２レンズ
Ｌ３    第３レンズ
Ｌ４    第４レンズ
Ｌ５    第５レンズ
Ｌ６    第６レンズ
Ｌ７    第７レンズ
１０    フィルタ
【図１】
2015161871.tif 000004
【図２】
2015161871.tif 000005
【図３】
2015161871.tif 000006
【図４】
2015161871.tif 000007
【図５】
2015161871.tif 000008
【図６】
2015161871.tif 000009
【図７】
2015161871.tif 000010
【図８】
2015161871.tif 000011
【図９】
2015161871.tif 000012
【図１０】
2015161871.tif 000013
【図１１】
2015161871.tif 000014
【図１２】
2015161871.tif 000015
【図１３】
2015161871.tif 000016
【図１４】
2015161871.tif 000017
【図１５】
2015161871.tif 000018
【図１６】
2015161871.tif 000019
【図１７】
2015161871.tif 000020
【図１８】
2015161871.tif 000021